【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
ポリマーチューブの半径方向の強度を増加させるために径方向に前記ポリマーチューブを変形させる工程；および
変形した前記ポリマーチューブから直線状のリングストラットおよび湾曲したヒンジ要素を形成する工程を備え；
前記リングストラットは前記ヒンジ要素によって互いに接続され、前記リングストラットおよび前記ヒンジ要素は複数のリングを画成し、前記ヒンジ要素は前記リングの非変形形態から変形形態への移行を可能にするように適応し、
前記非変形形態は、クリンプされる前の前記リングの状態に対応し、前記変形形態はクリンプを行なった後の前記リングの状態に対応し、前記リングストラットは、前記リングが非変形形態にあるときに、１００度を超える内角で互いに対して配向される；
内部人工器官を作製する方法。
【請求項２】
前記リングが非変形形態にあるときに、前記内角が約１２４度〜約１３０度の間である、請求項１に記載の方法。
【請求項３】
径方向への変形後の前記ポリマーチューブの外径が、径方向の変形前の前記ポリマーチューブの内径の約５倍以上となる、請求項１又は請求項２に記載の方法。
【請求項４】
径方向への変形後の前記ポリマーチューブの外径が、径方向の変形前の前記ポリマーチューブの内径の約６倍以上となる、請求項１又は請求項２に記載の方法。
【請求項５】
各リングストラットが、前記リングが非変形形態にあるときに、前記ポリマーチューブが径方向に変形された方向に対して約４０度未満の０でない角度で配向される、請求項１乃至請求項４のいずれか１項に記載の方法。
【請求項６】
各リングが中心点を有し、少なくとも前記２つの中心点が中心軸を定義し、前記リングをともに接続する連結ストラットを形成する工程をさらに備え、前記連結ストラットは前記中心軸に平行かまたは実質的に平行に配向され、ここで前記リングストラット、前記ヒンジ要素、および前記連結ストラットは複数のＷ形状のクローズドセルを画成し、各Ｗ形状のセルは６個の他のＷ形状のセルに接し、各Ｗ形状のセルは８つの前記リングストラット、２つの前記連結ストラット、および１０個の前記ヒンジ要素を含む周囲部を有する、請求項１乃至請求項５のいずれか１項に記載の方法。
【請求項７】
直線状のリングストラットと湾曲したヒンジ要素を備え、
前記リングストラットは前記ヒンジ要素によって互いに接続され、前記リングストラットおよび前記ヒンジ要素は複数のリングを画成し、前記ヒンジ要素は前記リングの非変形形態から変形形態までの移行可能にするように適応し、
前記非変形形態は、クリンプされる前の前記リングの状態に対応し、前記変形形態はクリンプを行なった後の前記リングの状態に対応し、前記リングストラットは、前記リングが非変形形態にあるときに、１００度を超える内角で互いに対して配向される、
内部人工器官。
【請求項８】
前記リングが非変形形態にあるときに、前記内角が、約１２４度〜約１３０度の間である、請求項７に記載の内部人工器官。
【請求項９】
前記のリングストラットおよび前記ヒンジ要素が径方向に拡張されたポリマーチューブから形成され、前記径方向に拡張されたポリマーチューブは拡張前の前記チューブの内径の約５倍以上の外径を有する、請求項７又は請求項８に記載の内部人工器官。
【請求項１０】
前記のリングストラットおよび前記ヒンジ要素が径方向に拡張されたポリマーチューブから形成され、前記径方向に拡張されたポリマーチューブは拡張前の前記チューブの内径の約６倍以上の外径を有する、請求項７又は請求項８に記載の内部人工器官。
【請求項１１】
各リングストラットが、前記リングが非変形形態にあるときに、前記のポリマーチューブが径方向に変形された方向に対して約４０度未満の角度で配向される、請求項７乃至請求項１０のいずれか１項に記載の内部人工器官。
【請求項１２】
各リングが中心点を有し、少なくとも前記２つの中心点が中心軸を定義し、前記リングをともに接続する連結ストラットを形成する工程をさらに備え、前記連結ストラットは前記中心軸に平行かまたは実質的に平行に配向され、ここで前記リングストラット、前記ヒンジ要素、および前記連結ストラットは複数のＷ形状のクローズドセルを画成し、各Ｗ形状のセルは６個の他のＷ形状のセルに接し、各Ｗ形状のセルは８つの前記リングストラット、２つの前記連結ストラット、および１０個の前記ヒンジ要素を含む周囲部を有する、請求項７乃至請求項１１のいずれか１項に記載の内部人工器官。
【請求項１３】
拡張後のポリマーチューブの外径が拡張前の前記ポリマーチューブの内径の約４倍よりも大きいように、径方向に前記ポリマーチューブを拡張する工程；と
リングストラットおよび連結ストラットを径方向に拡張した前記ポリマーチューブから形成する工程を備え；
前記リングストラットは非変形形態から変形形態まで移行可能な複数のリングを画成し、各リングは中心点を有し、少なくとも２つの前記中心点が中心軸を定義し、前記連結ストラットは前記中心軸に平行かまたは実質的に平行に配向されて前記リングをともに接続し、前記連結ストラットおよび前記リングストラットはＷ形状のクローズドセルを画成し、各Ｗ形状のセルは６つの他のＷ形状のセルに接し、
前記非変形形態は、クリンプされる前の前記リングの状態に対応し、前記変形形態はクリンプを行なった後の前記リングの状態に対応し、前記リングストラットは、前記リングが非変形形態にあるときに、１００度を超える内角で互いに対して配向される、内部人工器官を作製する方法。
【請求項１４】
前記リングが非変形形態にあるときに、前記内角が約１２４度〜約１３０度の間である、請求項１３に記載の方法。
【請求項１５】
拡張後の前記ポリマーチューブの外径が、拡張前の前記ポリマーチューブの内径の約６倍以上である、請求項１３又は請求項１４に記載の方法。
【請求項１６】
各リングストラットが、前記リングが非変形形態にあるときに、前記径方向の拡張の方向に対して約２５度〜約２８度の間の角度で配向される、請求項１３乃至請求項１５のいずれか１項に記載の方法。
【請求項１７】
前記リングが非変形形態にあるときに、各リング上の前記リングストラットが、互いに交互に現れる一連のクレストおよびトラフを画成し、各リング上の各クレストは前記連結ストラットの１つによって他のリング上の他のクレストに接続される、請求項１３乃至請求項１６のいずれか１項に記載の方法。
【請求項１８】
拡張前のポリマーチューブの内径の約４倍よりも大きい拡張後の外径を有する径方向に拡張された前記ポリマーチューブから形成されたリングストラットおよび連結ストラットを備え；
前記リングストラットは非変形形態から変形形態まで移行可能な複数のリングを画成し、各前記リングは中心点を有し、少なくとも２つの前記中心点が中心軸を定義し、前記連結ストラットは前記中心軸に平行かまたは実質的に平行に配向されて前記リングをともに接続し、前記連結ストラットおよび前記リングストラットはＷ形状のクローズドセルを画成し、各Ｗ形状のセルは６つの他のＷ形状のセルに当接し、
前記非変形形態は、クリンプされる前の前記リングの状態に対応し、前記変形形態はクリンプを行なった後の前記リングの状態に対応し、前記リングストラットは、前記リングが非変形形態にあるときに、１００度を超える内角で互いに対して配向される、
内部人工器官。
【請求項１９】
前記リングが非変形形態にあるときに、前記内角が約１２４度〜約１３０度の間である、請求項１８に記載の内部人工器官。
【請求項２０】
拡張後の前記ポリマーチューブの外径が、拡張前の前記ポリマーチューブの内径の約６倍以上である、請求項１８又請求項１９に記載の内部人工器官。
【請求項２１】
各リングストラットが、前記リングが非変形形態にあるときに、前記中心軸に垂直な平面に対して約２５度〜約２８度の間の角度で配向される、請求項１８乃至請求項２０のいずれか1項に記載の内部人工器官。
【請求項２２】
前記の連結ストラットおよびリングストラットの長さが、等しいか実質的に等しい、請求項１８乃至請求項２１のいずれか１項に記載の内部人工器官。
【請求項２３】
前記リングが非変形形態にあるときに、各リング上の前記リングストラットが、お互いに交互に現れる一連のクレストおよびトラフを画成し、各リング上の各クレストは前記連結ストラットの１つによって他のリング上の他のクレストに接続される、請求項１８乃至請求項２２のいずれか１項に記載の内部人工器官。
【請求項２４】
前記ポリマーチューブが、外面および内面を有し、前記リングは反管腔表面および管腔表面を有し、前記反管腔表面は前記ポリマーチューブの前記外面に対応し、前記管腔表面は前記ポリマーチューブの前記内面に対応する、請求項１８乃至請求項２３のいずれか１項に記載の内部人工器官。
【請求項２５】
前記Ｗ形状のセルが、円周方向でサイズが変化する、請求項１８乃至請求項２４のいずれか１項に記載の内部人工器官。
【請求項２６】
前記Ｗ形状のセルが、前記軸方向でサイズが変化する、請求項１８乃至請求項２５のいずれか１項に記載の内部人工器官。